(57)【要約】【課題】低コストで製造可能で且つ荷物を配置可能なおむつ交換台を提供する。【解決手段】おむつ交換台１が、２つの側板２１と、２つの側板２１間に設けられた天板２２と、天板２２上に設けられた分割板２４であって、天板２２上のスペースを、乳幼児を配置するスペースと物品を配置するスペースとに分割する分割板２４と、を具備する。【選択図】図１
2020062225.tif 000002
【特許請求の範囲】
【請求項１】
２つの側板と、該２つの側板間に設けられた天板と、該天板上に設けられた分割板であって、前記天板上のスペースを、乳幼児を配置するスペースと物品を配置するスペースとに分割する分割板と、を具備することを特徴とするおむつ交換台。
【請求項２】
前記側板の上端部と前記分割板の上端部とが同じ高さである請求項１に記載のおむつ交換台。
【発明の詳細な説明】
【技術分野】
【０００１】
本発明は、おむつ交換台に関する。
【背景技術】
【０００２】
電車の駅等の公共施設のトイレ等の壁面に設けられた、乳幼児のおむつを交換するための台であるおむつ交換台が公知である（例えば特許文献１）。特許文献１に記載のおむつ交換台は、平板状の交換台本体と、交換台本体上に設けられ且つ乳幼児を寝かせるマットと、壁面に固定され且つ交換台本体を回動可能に支持するベースとを有する、いわゆる折り畳み式おむつ交換台である。したがって、おむつ交換台は、交換台本体が壁面に平行に配置された未使用状態と、交換台本体が壁面に対して垂直、すなわち水平に配置された使用状態とを切り替え可能である。
【先行技術文献】
【特許文献】
【０００３】
【特許文献１】特開２０１５−２３９６３号公報
【発明の概要】
【発明が解決しようとする課題】
【０００４】
ところで、より広いスペースが確保できる施設内では、折り畳み式ではないおむつ交換台が使用されている。こうしたおむつ交換台は、設置スペースに応じてその都度造作されることが多い。すなわち、おむつ交換台は、２つの側板と天板とを有する簡易的な棚として作成され、おむつ交換台用のマットが天板に配置されることによって構成される。こうしたおむつ交換台は、おむつを交換する作業者が、交換作業の間に一時的に鞄等の荷物を置くための荷物台が別途用意されていることが多い。荷物台も、２つの側板と天板とを有する簡易的な棚として造作される。施設内のおむつ交換用のスペースには、複数のおむつ交換台が配置されていることが多い。そのため、１つのおむつ交換台に対して１つの荷物台を用意すると、製造等に必要なコストが高くなる。
【０００５】
本発明は、低コストで製造可能で且つ荷物を配置可能なおむつ交換台を提供することを目的とする。
【課題を解決するための手段】
【０００６】
本発明の一態様によれば、２つの側板と、該２つの側板間に設けられた天板と、該天板上に設けられた分割板であって、前記天板上のスペースを、乳幼児を配置するスペースと物品を配置するスペースとに分割する分割板と、を具備することを特徴とするおむつ交換台が提供される。
【０００７】
前記側板の上端部と前記分割板の上端部とが同じ高さであってもよい。
【発明の効果】
【０００８】
本発明の態様によれば、低コストで製造可能で且つ荷物を配置可能なおむつ交換台を提供するという共通の効果を奏する。
【図面の簡単な説明】
【０００９】
【図１】図１は、おむつ交換台の斜視図である。
【図２】図２は、図１のおむつ交換台の平面図である。
【図３】図３は、別のおむつ交換台の斜視図である。
【図４】図４は、図３のおむつ交換台の平面図である。
【発明を実施するための形態】
【００１０】
以下、図面を参照しながら本発明の実施の形態を詳細に説明する。全図面に渡り、対応する構成要素には共通の参照符号を付す。
【００１１】
図１は、おむつ交換台１の斜視図であり、図２は、図１のおむつ交換台１の平面図である。
【００１２】
おむつ交換台１は、交換台本体２とマット３とを有している。交換台本体２は、２つの側板２１と、２つの側板２１間に設けられた天板２２と、２つの側板２１間に設けられた背板２３と、天板上２２上に設けられた分割板２４とを有している。分割板２４は、天板２２上のスペースを、乳幼児を配置するスペースと荷物等の物品を配置するスペースとに分割する。側板２１の上端部と背板２３の上端部と分割板２４の上端部とは、同じか又はほぼ同じ高さとなるように構成されている。なお、背板２３は省略してもよい。また、背板２３に代えて、２つの側板２１間に梁等の支持部材を配置してもよい。
【００１３】
おむつの交換作業の際には、図２及び後述する図４において、上側に頭部が配置され且つ下側に足部が配置されるように、乳幼児をマット３に寝かせる。おむつを交換する作業者は、おむつ交換台１に対して図２及び図４における下方に立ち、おむつの交換作業を行う。
【００１４】
マット３は、平板状且つ矩形状のマット本体３１と、マット本体３１の対向する２辺の縁部の各々に設けられた２つの側壁部３２と、マット本体３１の残りの一方の一辺の縁部に設けられた背壁部３３とを有している。また、マット３は、マット本体３１上においてマット本体３１の残りの他方の一辺の縁部又は縁部の近傍に設けられた突起状の第１規制部３４を有している。さらに、マット３は、マット本体３１上において、配置される乳幼児の体側近傍に相当する位置に設けられた突起状の２つの第２規制部３５を有している。２つの第２規制部３５間には、おむつの交換作業を容易に行うことができるように、マット本体３１に対して乳幼児を固定する固定ベルト３６が配置されている。固定ベルト３６は、バックルによって容易に締結及び締結解除をすることができる。
【００１５】
第１規制部３４は、円柱を縦に割った半体の形状であり、円柱の長手方向がマット本体３１の一辺と平行となるように、設けられている。第１規制部３４は、マット本体３１の一辺の長さに亘り設けられている。マット３が第１規制部３４を有することによって、乳幼児の臀部又は足部と係止して乳幼児のマット本体３１の外方への滑り、すなわち作業者にとって手前側への乳幼児の移動を規制することができる。
【００１６】
詳細には、おむつの交換作業の際に乳幼児をマット３に寝かせるが、このとき、乳幼児の臀部は、マット本体３１上であって第１規制部３４よりも内側に配置される。したがって、乳幼児が手前側に移動しようとしたとしても、臀部が第１規制部３４と係止し、乳幼児の移動が規制されることから、乳幼児がマット３から落下することを防止することができる。
【００１７】
また、おむつ交換台１は、おむつの交換作業のみならず、乳幼児又は幼児（以下、「乳幼児等」という。）を着座させた状態で、靴又は靴下を脱がせたり又は履かせたりするための作業台として使用することもできる。また、作業者自身の作業のため、一時的に乳幼児等を着座させておく台として使用することもできる。
【００１８】
詳細には、乳幼児等をマット３のマット本体３１上に着座させると、臀部は第１規制部３４よりも内側に配置される。したがって、乳幼児等の脚は、第１規制部３４上に大腿部が配置された状態で、足部がマット本体３１の縁部から下方に垂らされる。そのため、作業者は、乳幼児等の足部に対して靴又は靴下を着脱させることを容易に行うことができる。このとき、乳幼児等が手前側に移動しようとしたとしても、臀部が第１規制部３４と係止し、乳幼児等の移動が規制されることから、乳幼児等がマット３から落下することを防止することができる。
【００１９】
第２規制部３５は、半円形状の突起である。マット３が２つの第２規制部３５を有することによって、乳幼児の左右方向の移動を規制することができる。詳細には、おむつの交換作業の際に乳幼児をマット３に寝かせるが、乳幼児が左右方向に移動しようとしたとしても、第２規制部３５が障害物となって、横ずれや寝返りの動作がし難くなる。したがって、作業者は、おむつの交換作業を容易に行うことができる。また、乳幼児は、第２規制部３５によって左右方向の移動が規制されていることから、作業者は、必要に応じて乳幼児を固定ベルト３６で容易に固定することができ、より安全且つ確実におむつの交換作業を行うことができる。
【００２０】
第１規制部３４は、乳幼児の臀部又は足部と係止して乳幼児のマット本体３１の外方への滑りを規制することができる限りにおいて、任意の形状又は配置とすることができる。例えば、第１規制部として、複数の円形状の突起を、マット本体３１の一辺に沿って配置するようにしてもよい。第１規制部３４は、マット本体３１と一体的に設けてもよく、マット本体３１と別体に設けてもよい。マット本体３１と第１規制部３４とは、連続的な平面又は曲面として形成又は接続されていないことが好ましい。
【００２１】
第２規制部３５は、乳幼児の左右方向の移動を規制することができる限りにおいて、任意の形状又は配置とすることができる。例えば、第２規制部として、半円形状ではなく、円形状又は半球状の突起としてもよい。第２規制部３５は、マット本体３１と一体的に設けてもよく、マット本体３１と別体に設けてもよい。マット本体３１と第２規制部３５とは、連続的な平面又は曲面として形成又は接続されていないことが好ましい。
【００２２】
マット３は、分割板２４によって隔てられた天板２２上の一方のスペースに対して、嵌合するように構成されている。すなわち、マット３のマット本体３１と一方の側壁部３２と背壁部３３と他方の側壁部３２とは、交換台本体２の天板２２と一方の側板２１と背板２３と分割板２４に対して、それぞれ密着して配置される。マット本体３１は、天板２２を超えて外方へ、すなわち手前側へ延び、天板２２の手前側の端面を覆うように形成されている。マット３において露出している部分はすべて、クッション性のあるクッション部材によって覆われている。
【００２３】
さらに、マット３の側壁部３２と背壁部３３とは、マット３が配置されるおむつ交換台１の交換台本体２の上端部、すなわち側板２１、背板２３及び分割板２４のいずれの上端部よりも上方に延びるように構成されている。したがって、マット３に配置された乳幼児の四肢や頭部は、硬質な交換台本体２の側板２１、背板２３及び分割板２４に当たる前に、クッション性のあるマット３の側壁部３２及び背壁部３３に当たることから、乳幼児の怪我を防止することができる。
【００２４】
なお、マット３は、全体として矩形であったが、矩形以外、例えば円形であってもよい。すなわち、マットは、マット本体と、マット本体上においてマット本体の縁部又は縁部の近傍に設けられた突起状の第１規制部であって、乳幼児の臀部又は足部と係止して乳幼児のマット本体の外方への滑りを規制する第１規制部と、マット本体の前記縁部以外の縁部に設けられた側壁部とを有する限りにおいて、任意に構成することができる。おむつ交換台１は、いわゆる折り畳み式のおむつ交換台ではないが、マット３を折り畳み式のおむつ交換台に適用してもよい。
【００２５】
分割板２４によって分割された天板２２上のスペースのうち、マット３が配置されている側とは反対側のスペースは、荷物等の物品を配置することができる。分割板２４があることによって、マット３に寝ている乳幼児に対して、鞄等の物品が倒れることを防止することができ、乳幼児の怪我を防止することができる。また、側板２１の上端部と背板２３の上端部と分割板２４の上端部とが、同じか又はほぼ同じ高さとなるように構成されていることによって、物品を配置するスペースが全体として壁に囲まれることとなり、乳幼児に対して倒れることのみならず、天板２２からの物品の落下を防止することもできる。
【００２６】
天板２２を基準とした分割板２４の高さ、さらには側板２１及び背板２３の高さは、例えば１５ｃｍである。また、上述したように、マット３の側壁部３２と背壁部３３とは、マット３が配置されるおむつ交換台１の交換台本体２の上端部、すなわち側板２１、背板２３及び分割板２４のいずれの上端部よりも上方に延びるように構成されている。天板２２を基準としたマット３の側壁部３２及び背壁部３３の高さは、例えば１８ｃｍである。
【００２７】
おむつ交換台１は、物品を配置するスペースを有していることから、おむつを交換する作業者が、交換作業の間に一時的に鞄等の荷物を置くための棚として、別体の荷物台を併設する必要がない。すなわち、おむつ交換台１は、おむつ交換台と荷物台とを別々で製造した場合に比べて、低コストで製造可能であるにもかかわらず、荷物を配置可能である。
【００２８】
詳細には、おむつ交換台と荷物台とを別々で製造し且つそれらを設置スペースにおいて併設した場合には、おむつ交換台と荷物台とは、全体として少なくとも４つの側板を有している。さらにそのうちの２つの側板は、隣接し又は当接していることから、おむつ交換台及び荷物台が自立するための部材として、余剰である。
【００２９】
他方、上述したおむつ交換台１は、２つの側板２１と、２つの側板２１間に設けられた天板２２と、天板２２上に設けられた分割板２４を有することから、最小限の構成で、自立することができ、且つ、乳幼児を配置するスペースと物品を配置するスペースとを同時に確保することができる。このことから、原材料費を抑えることも可能となる。さらに、１つの天板２２上に配置された分割板２４によって、天板２２上のスペースを２つに分割していることから、２つの側板２１間に挟まれた天板２２の下のスペースを広く確保することができる。天板２２の下のスペースは、例えば、荷物や乳母車等を置くこともでき、設置スペースを有効に活用することができる。
【００３０】
図３は、別のおむつ交換台４の斜視図であり、図４は、図３のおむつ交換台４の斜視図である。
【００３１】
おむつ交換台４は、交換台本体５と上述したマット３とを有している。交換台本体５は、２つの側板５１と、２つの側板５１間に設けられた天板５２と、２つの側板５１間に設けられた背板５３とを有している。側板５１の上端部と背板５３の上端部とは、同じか又はほぼ同じ高さとなるように構成されている。なお、背板５３は省略してもよい。また、背板５３に代えて、２つの側板５１間に梁等の支持部材を配置してもよい。
【００３２】
おむつ交換台４は、図１のおむつ交換台１と比べて物品を配置するスペースを有さない点で異なることから、図１のおむつ交換台１と比べて、よりコンパクトであり、スペースが限られた場所に設置するのに適している。
【符号の説明】
【００３３】
１    おむつ交換台
２    交換台本体
２１  側板
２２  天板
２３  背板
２４  分割板
３    マット
３１  マット本体
３２  側壁部
３３  背壁部
３４  第１規制部
３５  第２規制部
【図１】
2020062225.tif 000003
【図２】
2020062225.tif 000004
【図３】
2020062225.tif 000005
【図４】
2020062225.tif 000006